(57)【要約】【課題】既存の布基礎や柱、壁、梁など、既存コンクリート躯体に対する内部補強を行う補強方法を提案する。【解決手段】本発明の既存コンクリート躯体の補強方法は、コンクリート躯体１の側面１ａ，ｂ又は端面１ｃ，ｄから該躯体内部へ斜交いに穿孔し、該斜交孔２内に線材３及び接着剤を充填することを特徴とする。【選択図】図１
2008280684.tif 000002
【特許請求の範囲】
【請求項１】
コンクリート躯体の側面から該躯体内部へ斜交いに穿孔し、該斜交孔内に線材及び接着剤を充填することを特徴とする既存コンクリート躯体の補強方法。
【請求項２】
前記斜交孔は、別の側面又は端面へ貫通していることを特徴とする請求項１記載の既存コンクリート躯体の補強方法。
【請求項３】
前記斜交孔に対し、反対側の側面から穿孔された別の斜交孔が前記躯体内部で交差していることを特徴とする請求項１又は請求項２記載の既存コンクリート躯体の補強方法。
【請求項４】
コンクリート躯体の端面から該躯体内部へ斜交いに穿孔し、該斜交孔内に線材及び接着剤を充填することを特徴とする既存コンクリート躯体の補強方法。
【請求項５】
前記斜交孔は、別の端面又は側面へ貫通していることを特徴とする請求項４記載の既存コンクリート躯体の補強方法。
【発明の詳細な説明】
【技術分野】
【０００１】
本発明は、布基礎等の既存コンクリート躯体に対する補強技術に関する。
【背景技術】
【０００２】
既存住宅の布基礎の中には、無筋コンクリートの布基礎も多く存在し、耐震性の向上が望まれているものもある。このような既存の布基礎に対し、後付で補強を行う手法として、特許文献１〜４に記載されている補強方法が提案されている。これら特許文献に記載された補強方法は、アラミド繊維を含んだ補強シートを布基礎側面に貼り付ける補強方法（特許文献１，２，４）、あるいは、布基礎側面に補強筋をあてがってポリマーセメントモルタルで塗り込める補強方法（特許文献３）である。
【特許文献１】特開平１１−１３１４９４号公報
【特許文献２】特開２００６−１３２０８１号公報
【特許文献３】特開２００６−２３３５９３号公報
【特許文献４】特開２００７−０４６４０６号公報
【発明の開示】
【発明が解決しようとする課題】
【０００３】
上記特許文献に記載の補強方法はいずれも、布基礎の側面に補強用部材をあてがう手法であり、布基礎の内部に補強を施すものではない。激震の多い昨今の状況に鑑みると、特に既存の無筋コンクリート布基礎については、特許文献のような外部からの補強に加えて、内部からの補強も施しておくべきと思われる。
【０００４】
この点に着目して本発明は、既存の布基礎や柱、壁、梁など、既存コンクリート躯体に対する内部補強を行う補強方法を提案するものである。
【課題を解決するための手段】
【０００５】
本発明の既存コンクリート躯体の補強方法は、コンクリート躯体の側面又は端面から該躯体内部へ斜交いに穿孔し、該斜交孔内に線材及び接着剤を充填することを特徴とする。
【発明の効果】
【０００６】
本発明によれば、既存コンクリート躯体の内部に鋼材等の線材が斜交いに追加されて構造の一部となり、コンクリート内鉄筋のように機能するので、既存コンクリート躯体を内部から補強することができる。
【発明を実施するための最良の形態】
【０００７】
図１に、既存コンクリート躯体として布基礎に適用した本発明の第１の実施形態を示す。（Ａ）が布基礎の斜視図、（Ｂ）が上から見た端面図、（Ｃ）が横から見た端面図である。
【０００８】
第１の実施形態では、コンクリート躯体である布基礎１の側面１ａから布基礎１内部へ、側面１ａに対して斜交いに穿孔し、この斜交孔２内に、直径５〜１０ｍｍ程度の鋼棒で形成した線材３を挿入すると共に接着剤を注入して固着させ、補強筋として機能するように充填している。当該実施形態の斜交孔２は、布基礎１を上から見た平面視で側面１ａに対して斜交いになるように（図１Ｂ参照）、ほぼ水平に穿孔されている（図１Ｃ参照）。
【０００９】
また、斜交孔２は、一方の側面１ａから他方（反対側）の側面１ｂ（又は端面１ｃ）へ貫通しており、したがって、布基礎１の全幅にわたって線材３が存在することになり、強度向上に役立っている。さらに本実施形態の場合、斜交孔２がその中程（布基礎１の幅方向中央付近）で互いに交差するように形成してあり、布基礎１の中でより入り組んだ構造をとるようにしている。
【００１０】
図２には、同じく布基礎に適用した第２の実施形態を示している。（Ａ）が布基礎の斜視図、（Ｂ）が上から見た端面図、（Ｃ）が横から見た端面図である。（Ｄ）は、（Ｃ）と同じく横から見た端面図で、応用例を示している。
【００１１】
第２の実施形態でも、布基礎１の側面１ａから布基礎１内部へ、側面１ａに対して斜交いに穿孔し、この斜交孔２内に、直径５〜１０ｍｍ程度の鋼棒で形成した線材３を挿入すると共に接着剤を注入して固着させ、補強筋として機能するように充填している。ただし、当該実施形態の斜交孔２は、布基礎１を上から見た平面視及び横から見た側面視のいずれでも側面１ａに対して斜交いになるように穿孔されている（図２Ｂ，Ｃ参照）。
【００１２】
図２Ａ〜Ｃの例では、斜交孔２は、一方の側面１ａからのみ穿孔されており、他方（反対側）の側面１ｂ（又は端面１ｃ）まで貫通している。且つ、少なくとも隣り合う斜交孔２がその中程（布基礎１の幅方向中央付近）で互いに交差するように形成してあり、布基礎１の全幅にわたって線材３が存在すると共に布基礎１の中でより入り組んだ構造をとるようにし、強度向上に役立っている。
【００１３】
図２Ｄに示すのは、両側面１ａ，１ｂから斜交孔２を穿孔した応用例であり、側面１ａから斜交いに穿孔した斜交孔２に対し、反対側の側面１ｂから穿孔した別の斜交孔２が布基礎１内部で交差している。これにより、さらに複雑に入り組んだ構造を得ることができる。
【００１４】
図３には、同じく布基礎に適用した第３の実施形態を示している。この実施形態の斜交孔２は、布基礎１の上部端面１ｄから布基礎１内部へ、端面１ｄに対して斜交いに穿孔し、該斜交孔２内に、直径５〜１０ｍｍ程度の鋼棒で形成した線材３を挿入すると共に接着剤を注入して固着させ、補強筋として機能するように充填している。この実施形態の斜交孔２は、布基礎１を上から見た平面視及び横から見た側面視のいずれでも端面１ｄに対して斜交いになるように穿孔されている。
【００１５】
図示はしていないが、斜交孔２は、別の端面１ｃ又は側面１ｂへ貫通させてあってもよい。
【００１６】
図４には、布基礎１の角部における斜交孔の例（Ａ）及び終端部における斜交孔の例（Ｂ）を示す。
【００１７】
角部の場合、側面１ａから穿孔された斜交孔２は、屈曲した後の布基礎１内に、平面視で長手方向へ真っ直ぐに且つ側面視で斜交いに入るものとすることができる。また、終端部の場合、側部端面１ｃから穿孔された斜交孔２は、布基礎１内に、平面視で長手方向へ真っ直ぐに且つ側面視で斜交いに入るものとすることができる。これら斜交孔２内にも、直径５〜１０ｍｍ程度の鋼棒で形成した線材３を挿入すると共に接着剤を注入して固着させ、補強筋として機能するように充填する。
【図面の簡単な説明】
【００１８】
【図１】本発明を布基礎に適用した第１の実施形態を示す図。
【図２】本発明を布基礎に適用した第２の実施形態とその応用例を示す図。
【図３】本発明を布基礎に適用した第３の実施形態を示す図。
【図４】布基礎の角部と終端部における斜交孔の例を示した図。
【符号の説明】
【００１９】
１  布基礎（コンクリート躯体）
１ａ，ｂ  側面
１ｃ、ｄ  端面
２  斜交孔
３  線材（鉄筋）
【図１】
2008280684.tif 000003
【図２】
2008280684.tif 000004
【図３】
2008280684.tif 000005
【図４】
2008280684.tif 000006